(57)【要約】【課題】駆動歯車の正回転時にラチェット機構が作動し、逆回転時に解除でき、出力軸を逆回転させる負荷が作用すると、負荷によるシートの巻出しやフォークの降下を確実に阻止でき、大きな負荷に十分対応でき、構成簡素で、確実且つ安定的な作動状態が期待でき、耐久性に優れ、量産に適し、低廉で経済的な動力伝達装置を提供する。【解決手段】基枠１と、駆動歯車３と、出力軸１０と、被動歯車１５と、基盤３０と、ラチェット爪車２０と、ラチェット爪片５０と、スプリング５２とを備え、駆動歯車３の正回転時に、被動歯車１５と共にラチェット爪車２０及び出力軸１０が正回転し、駆動歯車３の逆回転時に、被動歯車１５と出力軸１０が逆回転し、出力軸１０を逆回転させる負荷は、被動歯車１５とラチェット爪車２０と出力軸１０を連繋せしめ、ラチェット爪片５０を介してラチェット爪車２０及び出力軸１０の逆回転を阻止するよう構成する。【選択図】図２
2008180263.tif 000002
【特許請求の範囲】
【請求項１】
基枠と、この基枠内の所定位置で正逆駆動回転するように形成される駆動歯車と、基枠に正逆回転自在に装着される出力軸と、この出力軸に螺刻した横行用雄ネジ部に螺合されると共に、前記駆動歯車に歯合する被動歯車と、この被動歯車の少なくとも一方或いは他方の側面がわに配されると共に、出力軸の横行用雄ネジ部に螺合される基盤と、この基盤の他方或いは一方の側面がわに正逆回転自在に装着されるラチェット爪車と、基枠に揺動自在に装着されると共に、前記ラチェット爪車の爪部にその先端部分が係止されてラチェット爪車の逆回転を阻止可能なラチェット爪片と、このラチェット爪片に所定向きの弾発力を付勢するスプリングとを備え、駆動歯車を正回転させた時に、被動歯車が出力軸の軸心方向一方或いは他方に僅かに横行し、ラチェット爪車を基盤と共に挟持するように圧迫して、被動歯車とラチェット爪車と出力軸が連繋せしめられ、被動歯車と共にラチェット爪車及び出力軸が正回転するように形成し、駆動歯車を逆回転させた時に、被動歯車が出力軸の軸心方向他方或いは一方に僅かに横行し、ラチェット爪車の挟持による圧迫が解除され、被動歯車とラチェット爪車の連繋状態が解除され、被動歯車と出力軸が逆回転するように形成し、出力軸を逆回転せしめるような負荷は、横行用雄ネジ部によって被動歯車を出力軸の軸心方向他方或いは一方に僅かに横行させるように作用し、ラチェット爪車を基盤と共に挟持するように圧迫して、被動歯車とラチェット爪車と出力軸を連繋せしめ、ラチェット爪片を介してラチェット爪車及び出力軸の逆回転が阻止されるように構成したことを特徴とする動力伝達装置。
【請求項２】
基枠と、この基枠内の所定位置で正逆駆動回転するように形成される駆動歯車と、基枠に正逆回転自在に装着される出力軸と、この出力軸に螺刻した横行用雄ネジ部に螺合されると共に、前記駆動歯車に歯合する被動歯車と、この被動歯車の一方の側面がわに配されると共に、出力軸の横行用雄ネジ部に螺合される第一基盤と、この第一基盤の他方の側面がわに正逆回転自在に装着される第一ラチェット爪車と、被動歯車の他方の側面がわに配されると共に、出力軸の横行用雄ネジ部に螺合される第二基盤と、この第二基盤の一方の側面がわに正逆回転自在に装着される第二ラチェット爪車と、基枠に揺動自在に装着されると共に、前記第一ラチェット爪車の爪部にその先端部分が係止される第一ラチェット爪片と、基枠に揺動自在に装着されると共に、前記第二ラチェット爪車の爪部にその先端部分が係止される第二ラチェット爪片と、これら第一ラチェット爪片と第二ラチェット爪片夫々に所定向きの弾発力を付勢するスプリングとを備え、駆動歯車を正回転させた時に、被動歯車が出力軸の軸心方向一方に横行し、第一ラチェット爪車を第一基盤と共に挟持するように圧迫して、被動歯車と第一ラチェット爪車と出力軸が連繋せしめられ、被動歯車と共に第一ラチェット爪車及び出力軸が正回転するように形成し、駆動歯車を逆回転させた時に、被動歯車が出力軸の軸心方向他方に横行し、第二ラチェット爪車を第二基盤と共に挟持するように圧迫して、被動歯車と第二ラチェット爪車と出力軸が連繋せしめられ、被動歯車と共に第二ラチェット爪車及び出力軸が逆回転するように形成し、第一ラチェット爪片は、第一ラチェット爪車の逆回転を阻止し、第二ラチェット爪片は、第二ラチェット爪車の正回転を阻止するように構成したことを特徴とする動力伝達装置。
【請求項３】
前記出力軸の横行用雄ネジ部と、この横行用雄ネジ部に螺合する被動歯車の横行用雌ネジ部と、横行用雄ネジ部に螺合する基盤、第一基盤、第二基盤の横行用雌ネジ部とを複数条ネジで構成し、そのリードを大きく形成したことを特徴とする請求項１または請求項２記載の動力伝達装置。
【発明の詳細な説明】
【技術分野】
【０００１】
本発明は、例えば、ビニールハウス内の換気をすべくシートを巻取ったり、巻出したりする際に使用したり、或いは、フォークリフトのフォークを昇降させる際等に使用したりできるもので、駆動歯車の正回転時にラチェット機構が作動し、また、駆動歯車の逆回転時にもラチェット機構が作動し、シートの巻取り・巻出し作業やフォークの昇降作業等が、スムーズに、安定的に且つ安全に行えるようにすると共に、これをより簡素な構成で実現できるようにすべく工夫した動力伝達装置に関するものである。
【背景技術】
【０００２】
従来、この種の動力伝達装置としては、例えば、特許文献１に示されているような可逆回転伝達装置の切替装置がある。これは、駆動軸の回転方向を変えると自動的に伝達比が変わる可逆回転伝動装置の切替装置であって、相異なる直径を有し、各々が駆動軸から切り離され得る前記駆動軸上に配置された２つの同軸の歯車と、各々が継続的に１つの駆動歯車と噛み合っている２つの被駆動歯車が固定結合されている１つの被駆動軸、で成っている可逆回転伝動装置の切替装置において、駆動軸上にラチェットホルダーが回転可能に支持されており、駆動歯車が、前記ラチェットホルダー上に回転可能に支持されており、少なくとも１対のラチェットが設けられていて、その各々のものは、前記駆動軸が回転することによって、そのどちらかの方向への、前記駆動歯車の一方のものの携行運動を起させるように形成したものである。
【０００３】
【特許文献１】特許第２８８５６４２号公報
【発明の開示】
【発明が解決しようとする課題】
【０００４】
ところが、前述の如き可逆回転伝達装置の切替装置にあっては、駆動軸の回転方向を変えると自動的に伝達比が変わるようにはなるが、駆動軸の正回転時及び逆回転時に於いて、駆動軸に大きな負荷がかかっているような場合に、この負荷によって駆動軸が回転してしまう虞があった。
そのため、ビニールハウス内の換気をすべくシートを巻取ったり、巻出したりする際に使用したり、或いは、フォークリフトのフォークを昇降させる際等に使用したりすることができない難点があった。すなわち、ビニールハウス内のシートの巻取りや、巻出しや、また、フォークリフトのフォークの昇降には、かなりの大きな負荷がかかるため、これに十分対応できる動力伝達装置の提供が必要であった。
そこで、本発明は、駆動歯車の正回転時にラチェット機構が確実に作動し、また、駆動歯車の逆回転時にもラチェット機構が確実に作動するように形成して、ビニールハウス内の換気をすべくシートを巻取ったり、巻出したりする際に使用したり、或いは、フォークリフトのフォークを昇降させる際等に使用でき、しかも、構成が簡素で、確実且つ安定的な作動状態が期待でき、耐久性に優れ、量産に適し、比較的低廉な動力伝達装置を提供できるようにすべく創出されたものである。
【課題を解決するための手段】
【０００５】
しかして、前述の如き課題等を達成すべく、請求項１記載の動力伝達装置にあっては、基枠１と、この基枠１内の所定位置で正逆駆動回転するように形成される駆動歯車３と、基枠１に正逆回転自在に装着される出力軸１０と、この出力軸１０に螺刻した横行用雄ネジ部１１に螺合されると共に、前記駆動歯車３に歯合する被動歯車１５と、この被動歯車１５の少なくとも一方或いは他方の側面がわに配されると共に、出力軸１０の横行用雄ネジ部１１に螺合される基盤３０と、この基盤３０の他方或いは一方の側面がわに正逆回転自在に装着されるラチェット爪車２０と、基枠１に揺動自在に装着されると共に、前記ラチェット爪車２０の爪部にその先端部分が係止されてラチェット爪車２０の逆回転を阻止可能なラチェット爪片５０と、このラチェット爪片５０に所定向きの弾発力を付勢するスプリング５２とを備え、駆動歯車３を正回転させた時に、被動歯車１５が出力軸１０の軸心方向一方或いは他方に僅かに横行し、ラチェット爪車２０を基盤３０と共に挟持するように圧迫して、被動歯車１５とラチェット爪車２０と出力軸１０が連繋せしめられ、被動歯車１５と共にラチェット爪車２０及び出力軸１０が正回転するように形成し、駆動歯車３を逆回転させた時に、被動歯車１５が出力軸１０の軸心方向他方或いは一方に僅かに横行し、ラチェット爪車２０の挟持による圧迫が解除され、被動歯車１５とラチェット爪車２０の連繋状態が解除され、被動歯車１５と出力軸１０が逆回転するように形成し、出力軸１０を逆回転せしめるような負荷は、横行用雄ネジ部１１によって被動歯車１５を出力軸１０の軸心方向他方或いは一方に僅かに横行させるように作用し、ラチェット爪車２０を基盤３０と共に挟持するように圧迫して、被動歯車１５とラチェット爪車２０と出力軸１０を連繋せしめ、ラチェット爪片５０を介してラチェット爪車２０及び出力軸１０の逆回転が阻止されるように構成する手段を採用した。
【０００６】
また、請求項２記載の動力伝達装置にあっては、基枠１と、この基枠１内の所定位置で正逆駆動回転するように形成される駆動歯車３と、基枠１に正逆回転自在に装着される出力軸１０と、この出力軸１０に螺刻した横行用雄ネジ部１１に螺合されると共に、前記駆動歯車３に歯合する被動歯車１５と、この被動歯車１５の一方の側面がわに配されると共に、出力軸１０の横行用雄ネジ部１１に螺合される第一基盤３０ａと、この第一基盤３０ａの他方の側面がわに正逆回転自在に装着される第一ラチェット爪車２０ａと、被動歯車１５の他方の側面がわに配されると共に、出力軸１０の横行用雄ネジ部１１に螺合される第二基盤３０ｂと、この第二基盤３０ｂの一方の側面がわに正逆回転自在に装着される第二ラチェット爪車２０ｂと、基枠１に揺動自在に装着されると共に、前記第一ラチェット爪車２０ａの爪部にその先端部分が係止される第一ラチェット爪片５０ａと、基枠１に揺動自在に装着されると共に、前記第二ラチェット爪車２０ｂの爪部にその先端部分が係止される第二ラチェット爪片５０ｂと、これら第一ラチェット爪片５０ａと第二ラチェット爪片５０ｂ夫々に所定向きの弾発力を付勢するスプリング５２とを備え、駆動歯車３を正回転させた時に、被動歯車１５が出力軸１０の軸心方向一方に横行し、第一ラチェット爪車２０ａを第一基盤３０ａと共に挟持するように圧迫して、被動歯車１５と第一ラチェット爪車２０ａと出力軸１０が連繋せしめられ、被動歯車１５と共に第一ラチェット爪車２０ａ及び出力軸１０が正回転するように形成し、駆動歯車３を逆回転させた時に、被動歯車１５が出力軸１０の軸心方向他方に横行し、第二ラチェット爪車２０ｂを第二基盤３０ｂと共に挟持するように圧迫して、被動歯車１５と第二ラチェット爪車２０ｂと出力軸１０が連繋せしめられ、被動歯車１５と共に第二ラチェット爪車２０ｂ及び出力軸１０が逆回転するように形成し、第一ラチェット爪片５０ａは、第一ラチェット爪車２０ａの逆回転を阻止し、第二ラチェット爪片５０ｂは、第二ラチェット爪車２０ｂの正回転を阻止するように構成する手段を採用した。
【０００７】
更に、請求項３記載の動力伝達装置にあっては、前記出力軸１０の横行用雄ネジ部１１と、この横行用雄ネジ部１１に螺合する被動歯車１５の横行用雌ネジ部１６と、横行用雄ネジ部１１に螺合する基盤３０、第一基盤３０ａ、第二基盤３０ｂの横行用雌ネジ部３１とを複数条ネジで構成し、そのリードを大きく形成する手段を採用した。
【発明の効果】
【０００８】
従って、本発明の請求項１記載の動力伝達装置によれば、例えば、ビニールハウス内の換気をすべくシートを巻取ったり、巻出したりする際に使用したり、或いは、フォークリフトのフォークを昇降させる際に使用した場合、駆動歯車３の正回転時にはラチェット機構が作動して、シートを巻取ったり、フォークを上昇させたりでき、また、駆動歯車３の逆回転時にはラチェット機構を解除でき、シートを巻出したり、フォークを降下させたりできるようになる。
加えて、出力軸１０を逆回転せしめるような大きな負荷が出力軸１０に作用している際には、横行用雄ネジ部１１によって被動歯車１５を出力軸１０の軸心方向他方或いは一方に僅かに横行させるように作用し、ラチェット爪車２０を基盤３０と共に挟持するように圧迫して、被動歯車１５とラチェット爪車２０と出力軸１０を連繋せしめ、ラチェット爪片５０を介してラチェット爪車２０及び出力軸１０の逆回転が阻止されるように構成してあるため、負荷によりシートが巻出されたり、フォークが降下したりするのを、確実に阻止できるようになる。すなわち、ビニールハウス内のシートの巻取りや、巻出しや、また、フォークリフトのフォークの昇降にかなりの大きな負荷がかかっても、これに十分対応できる動力伝達装置となる。
しかも、構成が簡素で、確実且つ安定的な作動状態が期待でき、耐久性に優れ、量産に適し、比較的低廉に提供できる経済的な動力伝達装置となる。
【０００９】
また、本発明の請求項２記載の動力伝達装置によれば、駆動歯車３の正回転時にラチェット機構が作動し、また、駆動歯車３の逆回転時にもラチェット機構が作動するようになり、例えば、ビニールハウス内の換気をすべくシートを巻取ったり、巻出したりする際に使用したり、或いは、フォークリフトのフォークを昇降させる際等に使用する巻上用の動力伝達装置として最適なものとなる。
特に、ビニールハウス内の換気をすべくシートを巻取ったり、巻出したりする際に使用した場合、その設置位置にあっては、シートの巻取り向きを逆に設定しなければならないが、本発明によれば、駆動歯車３の正回転でシートを巻取るようにしても良いし、或いは、駆動歯車３の逆回転でシートを巻取るようにしても良く、使い勝手の優れた動力伝達装置となる。
しかも、構成が比較的簡素で、確実且つ安定的な作動状態が期待でき、耐久性に優れ、量産に適し、比較的低廉に提供できる経済的な動力伝達装置となる。
【００１０】
更に、本発明の請求項３記載の動力伝達装置によれば、被動歯車１５（或いは、出力軸１０）の僅かな回転により、被動歯車１５（及び基盤３０、第一基盤３０ａ、第二基盤３０ｂ）が出力軸１０の軸心方向に大きく且つスムーズに横行できるようになり、ラチェット爪車２０（第一ラチェット爪車２０ａ、第二ラチェット爪車２０ｂ）をより強く圧迫して、被動歯車１５と、ラチェット爪車２０（第一ラチェット爪車２０ａ、第二ラチェット爪車２０ｂ）と、出力軸１０との連繋状態をより安定的にできるようになると共に、その連繋状態の解除が迅速に且つスムーズに行えるようになる。すなわち、被動歯車１５が反応良く且つ素早く出力軸１０の軸心方向に横行するようになり、前記連繋状態やその解除がよりスムーズに行えるものとなる。
【発明を実施するための最良の形態】
【００１１】
以下、本発明を図示例に基づいて説明すると、次の通りである。
本発明の動力伝達装置は、基枠１と、この基枠１内の所定位置で正逆駆動回転するように形成される駆動歯車３と、基枠１に正逆回転自在に装着される出力軸１０と、この出力軸１０に螺刻した横行用雄ネジ部１１に螺合されると共に、前記駆動歯車３に歯合する被動歯車１５と、この被動歯車１５の少なくとも一方或いは他方の側面がわに配されると共に、出力軸１０の横行用雄ネジ部１１に螺合される基盤３０と、この基盤３０の他方或いは一方の側面がわに正逆回転自在に装着されるラチェット爪車２０と、基枠１に揺動自在に装着されると共に、前記ラチェット爪車２０の爪部にその先端部分が係止されてラチェット爪車２０の逆回転を阻止可能なラチェット爪片５０と、このラチェット爪片５０に所定向きの弾発力を付勢するスプリング５２とを備えたものである。
そして、駆動歯車３を正回転させた時には、被動歯車１５が出力軸１０の軸心方向一方或いは他方に僅かに横行し、ラチェット爪車２０を基盤３０と共に挟持するように圧迫して、被動歯車１５とラチェット爪車２０と出力軸１０が連繋せしめられ、被動歯車１５と共にラチェット爪車２０及び出力軸１０が正回転するように形成してある。
更に、駆動歯車３を逆回転させた時には、被動歯車１５が出力軸１０の軸心方向他方或いは一方に僅かに横行し、ラチェット爪車２０の挟持による圧迫が解除され、被動歯車１５とラチェット爪車２０の連繋状態が解除され、被動歯車１５と出力軸１０が逆回転するように形成してある。
しかも、出力軸１０を逆回転せしめるような負荷は、横行用雄ネジ部１１によって被動歯車１５を出力軸１０の軸心方向他方或いは一方に僅かに横行させるように作用し、ラチェット爪車２０を基盤３０と共に挟持するように圧迫して、被動歯車１５とラチェット爪車２０と出力軸１０を連繋せしめ、ラチェット爪片５０を介してラチェット爪車２０及び出力軸１０の逆回転が阻止されるように構成してある。
【００１２】
すなわち、ビニールハウス内のシートを巻取る際には、駆動歯車３を正回転させ、この駆動歯車３に歯合する被動歯車１５を、正回転させると共に横行用雄ネジ部１１によって出力軸１０の軸心方向一方（或いは他方）に僅かに横行させ（被動歯車１５を出力軸１０に対して正回転させると共に出力軸１０の軸心方向に於いて基盤３０に接近するように僅かに移動させ）、被動歯車１５でラチェット爪車２０を基盤３０がわに圧迫すると共に、ラチェット爪車２０を被動歯車１５と基盤３０とで挟持し、被動歯車１５とラチェット爪車２０と基盤３０と出力軸１０が連繋状態となって、これらが正回転する。
このとき、シート自体の重さによって出力軸１０を逆回転せしめるような負荷がかかっているが、ラチェット爪片５０によってラチェット爪車２０の逆回転が阻止されており、このラチェット爪車２０に連繋状態となっている基盤３０及び被動歯車１５及び出力軸１０の逆回転も阻止される。
【００１３】
一方、一旦巻取ったビニールハウス内のシートを巻出す際には、駆動歯車３を逆回転させ、被動歯車１５を逆回転させると共に出力軸１０の軸心方向他方（或いは一方）に僅かに横行させ（被動歯車１５を出力軸１０に対して逆回転させると共に出力軸１０の軸心方向に於いて基盤３０から離れるように僅かに移動させ）、被動歯車１５でラチェット爪車２０を基盤３０がわに圧迫している状態を解除し、被動歯車１５とラチェット爪車２０の連繋状態が解除されて、被動歯車１５と出力軸１０と基盤３０が逆回転する。
このとき、シート自体の重さによって出力軸１０を逆回転せしめるような負荷がかかっており、駆動歯車３を逆回転させてシートを巻出している状態を一旦停止すると（或いはシートを巻出している状態に於いても）、負荷によって出力軸１０が僅かに逆回転すると共に、横行用雄ネジ部１１によって被動歯車１５が逆回転することなく出力軸１０の軸心方向一方（或いは他方）に僅かに横行し（被動歯車１５を出力軸１０に対して逆回転させることなく出力軸１０の軸心方向に於いて基盤３０に接近するように僅かに移動させ）、被動歯車１５がラチェット爪車２０を基盤３０がわに圧迫すると共に、ラチェット爪車２０を被動歯車１５と基盤３０とで挟持し、被動歯車１５とラチェット爪車２０と基盤３０と出力軸１０が連繋状態となって、ラチェット爪片５０によってラチェット爪車２０の逆回転が阻止されると共に、このラチェット爪車２０に連繋状態となっている基盤３０及び被動歯車１５及び出力軸１０の逆回転も阻止される。
【００１４】
そして、前記状態から更にシートを巻出すべく駆動歯車３を逆回転させると、被動歯車１５が逆回転すると共に出力軸１０の軸心方向他方（或いは一方）に僅かに横行し（被動歯車１５が出力軸１０に対して逆回転すると共に出力軸１０の軸心方向に於いて基盤３０から離れるように僅かに移動し）、被動歯車１５でラチェット爪車２０を基盤３０がわに圧迫している状態を解除し、被動歯車１５とラチェット爪車２０の連繋状態が解除されて、被動歯車１５と出力軸１０と基盤３０が再び逆回転する。
尚、被動歯車１５の横行可能範囲は、例えば、０．２乃至０．３ｍｍ程度に設定されており、被動歯車１５の横行による連繋状態や連繋状態の解除が素早く行えるように構成してある。
【００１５】
また、本発明の動力伝達装置は、基枠１と、この基枠１内の所定位置で正逆駆動回転するように形成される駆動歯車３と、基枠１に正逆回転自在に装着される出力軸１０と、この出力軸１０に螺刻した横行用雄ネジ部１１に螺合されると共に、前記駆動歯車３に歯合する被動歯車１５と、この被動歯車１５の一方の側面がわに配されると共に、出力軸１０の横行用雄ネジ部１１に螺合される第一基盤３０ａと、この第一基盤３０ａの他方の側面がわに正逆回転自在に装着される第一ラチェット爪車２０ａと、被動歯車１５の他方の側面がわに配されると共に、出力軸１０の横行用雄ネジ部１１に螺合される第二基盤３０ｂと、この第二基盤３０ｂの一方の側面がわに正逆回転自在に装着される第二ラチェット爪車２０ｂと、基枠１に揺動自在に装着されると共に、前記第一ラチェット爪車２０ａの爪部にその先端部分が係止される第一ラチェット爪片５０ａと、基枠１に揺動自在に装着されると共に、前記第二ラチェット爪車２０ｂの爪部にその先端部分が係止される第二ラチェット爪片５０ｂと、これら第一ラチェット爪片５０ａと第二ラチェット爪片５０ｂ夫々に所定向きの弾発力を付勢するスプリング５２とを備えたものである。
そして、駆動歯車３を正回転させた時には、被動歯車１５が出力軸１０の軸心方向一方に横行し、第一ラチェット爪車２０ａを第一基盤３０ａと共に挟持するように圧迫して、被動歯車１５と第一ラチェット爪車２０ａと出力軸１０が連繋せしめられ、被動歯車１５と共に第一ラチェット爪車２０ａ及び出力軸１０が正回転するように形成してある。
更に、駆動歯車３を逆回転させた時には、被動歯車１５が出力軸１０の軸心方向他方に横行し、第二ラチェット爪車２０ｂを第二基盤３０ｂと共に挟持するように圧迫して、被動歯車１５と第二ラチェット爪車２０ｂと出力軸１０が連繋せしめられ、被動歯車１５と共に第二ラチェット爪車２０ｂ及び出力軸１０が逆回転するように形成してある。
しかも、第一ラチェット爪片５０ａは、第一ラチェット爪車２０ａの逆回転を阻止し、第二ラチェット爪片５０ｂは、第二ラチェット爪車２０ｂの正回転を阻止するように構成してある。
【００１６】
更に、本発明の動力伝達装置は、前記出力軸１０の横行用雄ネジ部１１と、この横行用雄ネジ部１１に螺合する被動歯車１５の横行用雌ネジ部１６と、横行用雄ネジ部１１に螺合する基盤３０、第一基盤３０ａ、第二基盤３０ｂの横行用雌ネジ部３１とを複数条ネジで構成し、そのリードを大きく形成してある。
【実施例】
【００１７】
前記基枠１は、例えば、適宜金属材（或いは、合成樹脂材や複合材でも良い）で、略中空ボックス状に形成されており、少なくとも左右の側壁部分（及び底壁部分）を備え、ビニールハウス内の適宜位置に装着できるように形成されている。
尚、基枠１の具体的構成、形状、寸法、材質等は、図示例のもの等に限定されることなく、適宜自由に設定・変更できるものである。
【００１８】
図中２は、例えば、基枠１の左右側壁部分に貫通状に配される略丸軸状のシャフトで、このシャフト２は、軸受を介して基枠１に正逆回転自在に装着されると共に、その一端部分に手動のハンドル７が固定できるように形成されている（図２参照）。
尚、シャフト２の具体的構成、形状、寸法、材質、基枠１に於ける配設位置等は、図示例のもの等に限定されることなく、適宜自由に設定・変更できるものである。また、シャフト２の一端部にはハンドル７でなく、適宜モーター等の駆動力が伝達されるように形成してあっても良い。
【００１９】
前記駆動歯車３は、例えば、平歯車が用いられ、前記シャフト２に固定されると共に、被動歯車１５に歯合するように形成されている（図１、図２、図３参照）。
尚、駆動歯車３の具体的構成、形状、寸法、材質、配設位置等は、図示例のもの等に限定されることなく、適宜自由に設定・変更できるものである。
【００２０】
前記出力軸１０は、例えば、その一端がわが細い略段付丸軸状を呈し、基枠１の左右側壁部分に貫通状に配されると共に、前記シャフト２に対して平行となるように配されており、しかも、軸受５を介して基枠１の左右側壁部分に正逆回転自在となるように装着されている（図１、図２参照）。加えて、出力軸１０は、基枠１に対してその軸心方向に移動することがないように装着されている。
更に、出力軸１０は、その中央部分の外表面に横行用雄ネジ部１１が形成され、その一端寄りの細い軸部の外表面には固定用雄ネジ部１２が形成してある（図１参照）。
尚、出力軸１０の具体的構成、形状、寸法、材質、配設位置等は、図示例のもの等に限定されることなく、適宜自由に設定・変更できるものである。
【００２１】
また、前記横行用雄ネジ部１１は、例えば、複数条（例えば、七条）の雄ネジで構成されており、そのリードが大きくなるように形成されている。すなわち、被動歯車１５或いは、出力軸１０の僅かな回転により、被動歯車１５及び基盤３０（第一基盤３０ａ、第二基盤３０ｂ）が出力軸１０の軸心方向に大きく、スムーズに、安定的に、且つ素早く反応して横行できるように形成してある。
尚、横行用雄ネジ部１１の具体的構成、形状、寸法、配設位置等は、図示例のもの等に限定されることなく、適宜自由に設定・変更できるものである。また、横行用雄ネジ部１１自体は右ネジでも左ネジでも良い。
【００２２】
更に、前記固定用雄ネジ部１２は、例えば、一条の雄ネジで構成してあり、後述するストッパー４０が固定できるように形成されている。
尚、固定用雄ネジ部１２の具体的構成、形状、寸法、配設位置等は、図示例のもの等に限定されることなく、適宜自由に設定・変更できるものである。
【００２３】
図中１３は、出力軸１０に穿設したピン孔で、このピン孔１３は、後述するストッパー４５をピン４７を介して出力軸１０に固定するためのものである。
【００２４】
前記被動歯車１５は、例えば、適宜金属材（或いは、適宜合成樹脂材や適宜複合材でも良い）で比較的大きな平歯車状を呈し、その中央部分には、出力軸１０の横行用雄ネジ部１１に螺合するような横行用雌ネジ部１６が形成されている。すなわち、出力軸１０にある程度の負荷がかかった状態で、駆動歯車３から被動歯車１５に回転力が伝達されると、被動歯車１５は、出力軸１０の軸心方向に沿って一端がわ或いは他端がわに僅かに横行するように構成されている。
尚、被動歯車１５の具体的構成、形状、寸法、材質、配設位置等は、図示例のもの等に限定されることなく、適宜自由に設定・変更できるものである。
【００２５】
前記横行用雌ネジ部１６は、例えば、前記横行用雄ネジ部１１に螺合するように形成してあり、複数条（例えば、七条）の雌ネジで構成され、そのリードが大きくなるように形成されている。
尚、横行用雌ネジ部１６の具体的構成、形状、寸法等は、図示例のもの等に限定されることなく、適宜自由に設定・変更できるものである。
【００２６】
前記ラチェット爪車２０（第一ラチェット爪車２０ａ、第二ラチェット爪車２０ｂ）は、例えば、適宜金属材（或いは、適宜合成樹脂材や適宜複合材でも良い）で構成され、その外周部分に複数の三角状の爪部が周設され、その中央部分には、円形の軸孔２１が穿設され、後述する基盤３０（第一基盤３０ａ、第二基盤３０ｂ）の側面に突設した爪車用軸部３２に正逆回転自在に装着できるように形成されている。しかも、ラチェット爪車２０（第一ラチェット爪車２０ａ、第二ラチェット爪車２０ｂ）は、ラチェット爪片５０（第一ラチェット爪片５０ａ、第二ラチェット爪片５０ｂ）によって正回転（或いは逆回転）は行えるが、逆回転（或いは正回転）は阻止されるように爪部が形成されている。
尚、ラチェット爪車２０（第一ラチェット爪車２０ａ、第二ラチェット爪車２０ｂ）の具体的構成、形状、寸法、材質等は、図示例のもの等に限定されることなく、適宜自由に設定・変更できるものである。
【００２７】
ところで、図の第一ラチェット爪車２０ａは、例えば、被動歯車１５の一方の側面がわに配されると共に、第一基盤３０ａの他方の側面がわに配されており、図の第二ラチェット爪車２０ｂは、例えば、被動歯車１５の他方の側面がわに配されると共に、第二基盤３０ｂの一方の側面がわに配されており、被動歯車１５の横行によって第一ラチェット爪車２０ａと第二ラチェット爪車２０ｂのどちらかが被動歯車１５に連繋されるように構成されている。
【００２８】
前記基盤３０（第一基盤３０ａ、第二基盤３０ｂ）は、例えば、適宜金属材（或いは、適宜合成樹脂材や適宜複合材でも良い）で略厚肉円板状に構成され、その中央部分には、横行用雄ネジ部１１に螺合する複数条（例えば、七条）の横行用雌ネジ部３１が形成されている。しかも、その一方或いは他方の側面部分には、略短円筒状の爪車用軸部３２が突設されており、この爪車用軸部３２にラチェット爪車２０（第一ラチェット爪車２０ａ、第二ラチェット爪車２０ｂ）が正逆回転自在となるように装着されている。尚、この爪車用軸部３２は、ラチェット爪車２０（第一ラチェット爪車２０ａ、第二ラチェット爪車２０ｂ）の厚みより短く設定され、被動歯車１５がラチェット爪車２０（第一ラチェット爪車２０ａ、第二ラチェット爪車２０ｂ）側面に直接圧接できるようにしてある。
尚、基盤３０（第一基盤３０ａ、第二基盤３０ｂ）の具体的構成、形状、寸法、材質等は、図示例のもの等に限定されることなく、適宜自由に設定・変更できるものである。
【００２９】
ところで、図の第一基盤３０ａは、例えば、被動歯車１５の一方の側面がわに僅かに離れて配されており、図の第二基盤３０ｂは、例えば、被動歯車１５の他方の側面がわに僅かに離れて配されている。
【００３０】
前記ストッパー４０は、例えば、適宜金属材（或いは、適宜合成樹脂材や適宜複合材でも良い）で形成される略ナット状を呈し、その中央部分の固定用雌ネジ部４１を介して出力軸１０の固定用雄ネジ部１２に螺着できるように構成されている。すなわち、このストッパー４０は、基盤３０（第一基盤３０ａ）の一方の側面部分に接触するように配されており、基盤３０（第一基盤３０ａ）が出力軸１０の軸心方向に於いて一方がわへ移動するのを確実に阻止できるように設けられたものである。尚、ストッパー４０は、出力軸１０に対して僅かに正逆回転せしめることで、その位置を移動させ、被動歯車１５の横行距離等を調節できるように形成されている。また、ストッパー４０は、出力軸１０に対する固定位置をより安定させるために、ダブルナット状としたものでも良いし、一部に滑り止め部材を設けたロックナットでも良い。
ところで、ストッパー４０の具体的構成、形状、寸法、材質等は、図示例のもの等に限定されることなく、適宜自由に設定・変更できるものである。
【００３１】
前記ストッパー４５は、例えば、適宜金属材（或いは、適宜合成樹脂材や適宜複合材でも良い）で形成される略厚肉円盤状を呈し、その中央部分の挿通孔を介して出力軸１０に装着され、しかも、ピン孔４６に挿通されるピン４７によって出力軸１０に対して確実に固定できるように構成されている。
そして、このストッパー４５は、基盤３０（第二基盤３０ｂ）の他方の側面部分に接触するように配されており、基盤３０（第二基盤３０ｂ）が出力軸１０の軸心方向に於いて他方がわへ移動するのを確実に阻止できるように設けられたものである。
尚、ストッパー４５の具体的構成、形状、寸法、材質等は、図示例のもの等に限定されることなく、適宜自由に設定・変更できるものである。
【００３２】
図中５１は、例えば、適宜金属材（或いは、適宜合成樹脂材や適宜複合材でも良い）で略丸軸状に形成されると共に、基枠１の左右側壁部分に貫通状に配されるシャフトで、このシャフト５１は、軸受６を介して基枠１に正逆回転自在に装着されると共に、出力軸１０に対して平行となるように配されている。
尚、シャフト５１の具体的構成、形状、寸法、材質、基枠１に於ける配設位置等は、図示例のもの等に限定されることなく、適宜自由に設定・変更できるものである。
【００３３】
前記ラチェット爪片５０（第一ラチェット爪片５０ａ、第二ラチェット爪片５０ｂ）は、例えば、適宜金属材（或いは、適宜合成樹脂材や適宜複合材でも良い）によって先端が三角状の厚肉板状に形成されると共に、基端がわの挿通孔によってシャフト５１に揺動自在となるように装着されている。そして、その先端部分がラチェット爪車２０（第一ラチェット爪車２０ａ、第二ラチェット爪車２０ｂ）の爪部に係止されるように形成されている。
尚、ラチェット爪片５０（第一ラチェット爪片５０ａ、第二ラチェット爪片５０ｂ）の具体的構成、形状、寸法、材質、配設位置等は、図示例のもの等に限定されることなく、適宜自由に設定・変更できるものである。
【００３４】
ところで、図の第一ラチェット爪片５０ａは、例えば、第一ラチェット爪車２０ａの爪部に係止されて、第一ラチェット爪車２０ａの逆回転を阻止するように形成され、図の第二ラチェット爪片５０ｂは、例えば、第二ラチェット爪車２０ｂの爪部に係止されて、第二ラチェット爪車２０ｂの正回転を阻止するように形成されている。
【００３５】
前記スプリング５２は、例えば、略捩りコイルスプリング状に形成され、シャフト５１に外装されると共に、ラチェット爪片５０（第一ラチェット爪片５０ａ、第二ラチェット爪片５０ｂ）の先端部分がその爪部に常時接触するような段発力を付勢できるように形成されている。また、図のスプリング５２は、第一ラチェット爪片５０ａと第二ラチェット爪片５０ｂの間に介装され、第一ラチェット爪片５０ａと第二ラチェット爪片５０ｂ夫々に所定向きの弾発力を付勢できるように形成してある。
尚、スプリング５２の具体的構成、形状、寸法、材質、配設位置、数等は、図示例のもの等に限定されることなく、適宜自由に設定・変更できるものである。
【００３６】
図中５３は、例えば、適宜合成樹脂材（或いは、適宜金属材や適宜複合材でも良い）で形成される略厚肉円筒状のスペーサーで、このスペーサー５３は、その中央部分の挿通孔を介してシャフト５１に外装され、第一ラチェット爪片５０ａや第二ラチェット爪片５０ｂがシャフト５１の軸心方向に移動するのを阻止できるように形成されている。
尚、スペーサー５３の具体的構成、形状、寸法、材質、配設位置、数等は、図示例のもの等に限定されることなく、適宜自由に設定・変更できるものである。
【００３７】
ところで、前記シャフト２と駆動歯車３と被動歯車１５に於いて、図４に示すように、シャフト２を、出力軸１０の軸心方向に対して直交する方向に配する（例えば、鉛直方向に配する）と共に、基枠１に正逆回転自在に装着し、このシャフト２の上端に傘歯車状の駆動歯車３を固定し、出力軸１０には、駆動歯車３に歯合する傘歯車状の被動歯車１５を螺合させるように構成しても良い。
すなわち、上方に設けた動力伝達装置を、下方に位置するシャフト２の下端部分で手動的に或いはモーターを介して作動させることができるようになる。
尚、被動歯車１５の横行に対して、駆動歯車３と被動歯車１５を平歯車で構成した時は、その歯合状態を維持でき、駆動歯車３と被動歯車１５を傘歯車で構成した時は、被動歯車１５の横行量が少ない（例えば、被動歯車１５の横行範囲が０．２乃至０．３ｍｍ程度に設定される）ことにより、被動歯車１５と駆動歯車３の遊び部分に吸収されて、その歯合状態が解除されるようなことはない。
【００３８】
本発明の動力伝達装置は、前述の如く構成されており、次にその使用例について説明すると、先ず、ビニールハウス内のシートを巻取る際には、駆動歯車３を正回転させる。すると、駆動歯車３に歯合する被動歯車１５が、正回転すると共に横行用雄ネジ部１１によって出力軸１０の軸心方向一方に僅かに横行し（被動歯車１５が出力軸１０に対して正回転すると共に出力軸１０の軸心方向に於いて第一基盤３０ａに接近するように僅かに移動し）、被動歯車１５で第一ラチェット爪車２０ａを第一基盤３０ａがわに圧迫すると共に、第一ラチェット爪車２０ａを被動歯車１５と第一基盤３０ａとで挟持し、被動歯車１５と第一ラチェット爪車２０ａと第一基盤３０ａと出力軸１０が連繋状態となって、これらが正回転する。
このとき、シート自体の重さによって出力軸１０を逆回転せしめるような負荷がかかっているが、第一ラチェット爪片５０ａによって第一ラチェット爪車２０ａの逆回転が阻止されており、この第一ラチェット爪車２０ａに連繋状態となっている第一基盤３０ａ及び被動歯車１５及び出力軸１０の逆回転も阻止される。
ところで、前述の巻取り状態の時には、第二ラチェット爪車２０ｂは、第二基盤３０ｂに対して自在に回転できるようになっている。
【００３９】
一方、一旦巻取ったビニールハウス内のシートを巻出す際には、駆動歯車３を逆回転させる。すると、被動歯車１５が逆回転すると共に出力軸１０の軸心方向他方に僅かに横行し（被動歯車１５が出力軸１０に対して逆回転すると共に出力軸１０の軸心方向に於いて第一基盤３０ａから離れるように僅かに移動し）、被動歯車１５で第一ラチェット爪車２０ａを第一基盤３０ａがわに圧迫している状態が解除され、被動歯車１５と第一ラチェット爪車２０ａの連繋状態が解除されて、被動歯車１５と出力軸１０と第一基盤３０ａが逆回転する。
このとき、シート自体の重さによって出力軸１０を逆回転せしめるような負荷がかかっており、駆動歯車３を逆回転させてシートを巻出している状態を一旦停止すると（或いはシートを巻出している状態に於いても）、負荷によって出力軸１０が僅かに逆回転すると共に、横行用雄ネジ部１１によって被動歯車１５が逆回転することなく出力軸１０の軸心方向一方に僅かに横行し（被動歯車１５が出力軸１０に対して逆回転することなく出力軸１０の軸心方向に於いて第一基盤３０ａに接近するように僅かに移動し）、被動歯車１５が第一ラチェット爪車２０ａを第一基盤３０ａがわに圧迫すると共に、第一ラチェット爪車２０ａを被動歯車１５と第一基盤３０ａとで挟持し、被動歯車１５と第一ラチェット爪車２０ａと第一基盤３０ａと出力軸１０が連繋状態となって、第一ラチェット爪片５０ａによって第一ラチェット爪車２０ａの逆回転が阻止されると共に、この第一ラチェット爪車２０ａに連繋状態となっている第一基盤３０ａ及び被動歯車１５及び出力軸１０の逆回転も阻止される。
ところで、前述の巻出し状態の時には、第二ラチェット爪車２０ｂは、被動歯車１５と共に逆回転するようになっているが、出力軸１０を逆回転せしめるような負荷がかかると、自在に回転できるようになる。
【００４０】
そして、前記状態から更にシートを巻出すべく駆動歯車３を逆回転させると、被動歯車１５が逆回転すると共に出力軸１０の軸心方向他方に僅かに横行し（被動歯車１５が出力軸１０に対して逆回転すると共に出力軸１０の軸心方向に於いて第一基盤３０ａから離れるように僅かに移動し）、被動歯車１５で第一ラチェット爪車２０ａを第一基盤３０ａがわに圧迫している状態を解除し、被動歯車１５と第一ラチェット爪車２０ａの連繋状態が解除されて、被動歯車１５と出力軸１０と第一基盤３０ａが再び逆回転する。
【００４１】
ところで、被動歯車１５の他方側面がわに設けた第二ラチェット爪車２０ｂや第二基盤３０ｂやストッパー４５や第二ラチェット爪片５０ｂは、駆動歯車３を逆回転せしめることにより、シートの巻取りが行えるように設定した時に使用されるもので、ビニールハウス内での動力伝達装置の設置位置等に影響されることなく、駆動歯車３の正回転でシートを巻取ったり、或いは、駆動歯車３の逆回転でシートを巻取ったりできるようになる。すなわち、前記第一ラチェット爪車２０ａ、第一基盤３０ａ、第一ラチェット爪片５０ａと逆の動作を行うようになる。
【図面の簡単な説明】
【００４２】
【図１】本発明の動力伝達装置を例示する概略分解斜視図である。
【図２】本発明の動力伝達装置を例示する一部切欠概略正面図である。
【図３】本発明の動力伝達装置を例示する一部切欠概略側面図である。
【図４】本発明の他の動力伝達装置を例示する一部切欠概略正面図である。
【符号の説明】
【００４３】
１      基枠
２      シャフト
３      駆動歯車
５      軸受
６      軸受
７      ハンドル
１０    出力軸
１１    横行用雄ネジ部
１２    固定用雄ネジ部
１３    ピン孔
１５    被動歯車
１６    横行用雌ネジ部
２０    ラチェット爪車
２０ａ  第一ラチェット爪車
２０ｂ  第二ラチェット爪車
２１    軸孔
３０    基盤
３０ａ  第一基盤
３０ｂ  第二基盤
３１    横行用雌ネジ部
３２    爪車用軸部
４０    ストッパー
４１    固定用雌ネジ部
４５    ストッパー
４６    ピン孔
４７    ピン
５０    ラチェット爪片
５０ａ  第一ラチェット爪片
５０ｂ  第二ラチェット爪片
５１    シャフト
５２    スプリング
５３    スペーサー
【図１】
2008180263.tif 000003
【図２】
2008180263.tif 000004
【図３】
2008180263.tif 000005
【図４】
2008180263.tif 000006